(57)【要約】      （修正有）【課題】ソックス内でも足が滑らず、確実な滑り止め効果を有するソックスを提供する。【解決手段】伸縮性を有する生地で足底部１と踝部３と甲部２より成し、それぞれの周辺を縫い合わせて成るソックスであり、足底部１の皮膚に接する内面には通気性を有するポリウレタン塗膜を設置し、而も足底部接地面１４の外面には熱可塑性エラストマー４を適量塗布していることを特徴とし、さらに足底部１を貫通する小孔５を多数形成していることを特徴とする。【選択図】図１
0003144212.tif 000002
【実用新案登録請求の範囲】
【請求項１】
伸縮性を有する生地で足底部と踝部と甲部より成し、それぞれの周辺を縫い合わせて成るソックス。
【請求項２】
足底部の皮膚に接する内面には通気性を有するポリウレタン塗膜を設置し、さらに足底部の外面には熱可塑性エラストマーを適量塗布していることを特徴とする請求項１のソックス。
【請求項３】
足底部の生地とポリウレタン塗膜を貫通する小孔を多数形成していることを特徴とする請求項１〜２に記載するソックス。                    
【請求項４】
脚の脛とふくらはぎ部を被う伸縮性を有する筒状編み物を取付けたことを特徴とする請求項１〜３に記載するソックス。
【考案の詳細な説明】
【技術分野】
【０００１】
本考案は、スポーツ或いは日常生活で使用する滑り止めソックスに関する考案。
【背景技術】
【０００２】
従来の一般的な滑り止めソックスは、通常のニットソックスの設置面に樹脂等で滑り止めを形成させる特徴があり、登録実用新案第３０７８６１４は同特徴を有する考案である。
【０００３】
接地面とともに足裏面に滑り止めを形成する考案として、登録実用新案第３１１０４５５号、登録実用新案第３１０９３９３号等がある。
【０００４】
ソックスの編み組織の一部に伸縮性を有するポリウレタンやゴムを編込み、それによって滑り止めを形成する考案に特許公開第２００５−２９９３４号がある。
【０００５】
ラバーシートと伸縮性生地とによって構成され、ソックスに貫通小孔を設置し、少なくとも接地面に滑り止め塗布加工を施した登録実用新案第３１１９４６４号がある。
【特許文献１】登録実用新案第３０７８６１４号
【特許文献２】登録実用新案第３１１０４５５号
【特許文献３】登録実用新案第３１０９３９３号
【特許文献４】特許公開第２００５−２９９３４号
【特許文献５】登録実用新案第３１１９４６４号
【考案の開示】
【考案が解決しようとする課題】
【０００６】
（１）ソックス足底外面に滑り止めを形成した考案では、ソックス足底外面の滑り止めと接地面との摩擦力がソックス足底内面と足裏との摩擦力を上回った場合に、足がソックスの中で滑って動く課題がある。
（２）ソックス足底内外両面に滑り止めを形成した考案では、足裏に異物感を感じ快適な使用に課題がある。
（３）ソックスの編組織の一部にゴム等の弾性素材を編込む考案では、足から伝達される力が編込み部分で緩衝される為、瞬発力が求められるスポーツ用途に不向きであり、而も母指球や踵などの凸部の編込み組織が伸びて薄くなり滑り止め効果が低下するという課題がある。
（４）ラバーシートと伸縮性生地で構成された考案では、ラバーシートはソックスの着脱に不便であり、ソックス内部の熱や蒸れが放出され難く長時間の使用に不適である。
（５）本考案では従来技術の問題を解決すると共に、本考案によって日常生活やスポーツなど幅広い用途に役立つ滑り止めソックスを提供することを課題とする。
【課題を解決するための手段】
【０００７】
伸縮性を有する生地で足底部と踝部と甲部より成し、それぞれの周辺を縫い合わせて成るソックスであり、足底部の皮膚に接する内面には通気性を有するポリウレタン塗膜を設置し、而も足底部接地面の外面には熱可塑性エラストマーを適量塗布していることを特徴とし、さらに足底部を貫通する小孔を多数形成していることを特徴とする。
【考案の効果】
【０００８】
（１）請求項１と２により、通気性ポリウレタン塗膜は、ソックス内の蒸れを外側に排出すると共に、適度な弾性と粘性を有するので、足裏に違和感を感ずることなくソックス内での足の滑りを防ぐ手段として有効である。一方、熱可塑性エラストマーの塗布面と床や靴との間に生じる摩擦力は有効な滑り止めとなる。この両面効果によって、ソックスは足の力を滑りによって損失することなく、効率的に靴や接地面に力を伝達できる。
（２）滑り止め効果は熱可塑性エラストマーの粘性や塗布量或いは塗布形状を調整することで可変であるから、簡便な技術によって使用目的に即した滑り止めソックスの提供が可能である。
（３）足底部と甲部と踝部は共に伸縮性を有するのでソックスの着脱は容易であり、それぞれの用途に適した伸縮性生地を用いることにより滑り止めソックスは広範囲に提供できる。                                                                          
【０００９】
請求項３により、母指球や踵などの凸部から受ける力によって貫通小孔は拡がり、当該部生地の伸張力は分散される。その結果、当該部生地が伸びて薄くなることは抑えられ、滑り止め効果は保たれる。而も凸部生地の圧迫を分散させて足全体にフィットし、貫通小孔からの換気放熱効果も伴い快適な履き心地の滑り止めソックスの提供ができる。
【００１０】
請求項４により、スポーツ競技規則で規定された仕様に対応できる為、スポーツに於ける用途は広がり、日常生活に於いては防寒目的やブーツを履く場合に好適な滑り止めソックスを提供できる。
【考案を実施するための最良の形態】
【００１１】
以下、本考案の実施の形態を示す図面に基づき説明する。
【実施例１】
【００１２】
図１はソックス装着時の全体側面図であって、図３はソックス本体を構成する足底部１と甲部２と踝部３を立体裁断した状態の平面展開図である。但し足底部１のみ足裏面１０の多孔質ポリウレタン塗膜９面と接地面１４の熱可塑性エラストマー４塗付面の両面を示す。足底部１に用いる伸縮性生地はポリエステル９１％、ポリウレタン９％の組成の伸縮性トリコット編生地７を用い、甲部２および踝部３にはポリエステル８０％、ポリウレタン２０％の組成の伸縮性ジャージー編生地８を用いる。
【００１３】
図１〜図３に示す如く、足底部１は伸縮性トリコット編生地７の足裏面１０に通気性を有する多孔質ポリウレタン塗膜９を０．５ｍｍの厚みで足底部１全域に塗膜し、接地面１４の伸縮性トリコット編生地７に長粒状の熱可塑性エラストマー４を０．２〜０．５ｍｍの厚みで適量を足底部１の全域に塗布する。足底部１の全域が三層構造を有する形態によってソックス内での足の滑りと、ソックス本体と接地面１４との滑りを同時に防ぐことが可能になる。直径２ｍｍの貫通小孔５は足底部１の全域に設置され、特にソックスがスポーツシューズと共に用いる場合に、貫通小孔５は換気と放熱を促すので快適な使用感を保つ上で有効な手段となる。
【００１４】
図２に示す如く、貫通小孔５は母指球１１や踵１２の凸部位で拡がり、局部的に強くかかる伸張力を分散させる。力が強くかかる母指球１１や踵１２で従来ソックスでは編組織が薄くなる欠点があったが、貫通小孔５によってこの欠点を改善し、熱可塑性エラストマー４の滑り止め効果を足底部１全域で保つ上で有効である。図１の通り、踵１２まで塗布した熱可塑性エラストマー４の効果により、スポーツに於いて力の伝達の際に滑りよって損失する力を極力低減する形態として有効である。
【００１５】
図１と図２で示す如く、立体裁断された各部はポリエステル糸６が接地面１４や踵１２に当たらないようにして、平坦に縫合されている。それによりソックスを履いた際にはポリエステル糸６が不快な装着感や異物感を抑える形態である。
【実施例２】
【００１６】
図４はソックス本体に筒状ニットホース１３を取付け膝丈のストッキングにしたものであり、スポーツ競技規則に則した形態に対応できるとともに防寒目的やブーツなどを履く場合に適した形態である。
【図面の簡単な説明】
【００１７】
【図１】ソックス本体の全体側面図（実施例１）
【図２】足底部の部分断面図（実施例１）
【図３】足底部のみ内外両面を表示したソックス本体展開図(実施例１)
【図４】ソックス本体にニットホースを取付けたストッキングの全体側面図(実施例２)
【符号の説明】
【００１８】
１  足底部
２  甲部
３  踝部
４  熱可塑性エラストマー
５  貫通小孔
６  ポリエステル糸
７  伸縮性トリコット編生地
８  伸縮性ジャージー編生地
９  通気性ポリウレタン塗膜
１０  足裏面
１１  母指球
１２  踵
１３  筒状ニットホース
１４  接地面
【図１】
0003144212.tif 000003
【図２】
0003144212.tif 000004
【図３】
0003144212.tif 000005
【図４】
0003144212.tif 000006